(57)【要約】【課題】  本発明は、傾斜面や広い範囲の草刈り作業及び回収作業を効率的に行うことのできる草刈り機及び草刈り機によって刈られた草を回収する回収装置を具備する草刈り回収装置を提供する。【解決手段】  本発明に係る草刈り装置１は、草刈り面に対して開口する開口部２を有し、該開口部２と対向する位置に吸引口３を有するハウジング４と、  該ハウジング４内に水平に延出する回転軸６、該回転軸６に所定の間隔で配置される複数の切刃部７及び複数の切刃部７の間に配される複数の送風羽根８とによって構成される草刈り部５とを具備するものである。また、前記草刈り装置１と吸引装置１１０からなる草刈り回収装置１００である。【選択図】    図１
2020043788.tif 000002
【特許請求の範囲】
【請求項１】
草刈り面に対して開口する開口部を有し、該開口部と対向する位置に吸引口を有するハウジングと、
該ハウジング内に水平に延出する回転軸、該回転軸に所定の間隔で配置される複数の切刃部及び複数の切刃部の間に配される複数の送風羽根とによって構成される草刈り部とを具備することを特徴とする草刈り装置。
【請求項２】
前記切刃部は、前記回転軸を中心として回転するプレート刃部と、該プレート刃部の外周部分に所定の間隔で配される連結部と、該連結部の先端に回動自在に設けられる切歯部とによって構成され、前記切歯部はＶ字型に形成され、前記連結部に固定されることを特徴とする請求項１記載の草刈り装置。
【請求項３】
請求項１又は２記載の草刈り装置と、前記ハウジングの吸引口に接続され、草刈り装置によって刈られた草を吸引する吸引装置を具備することを特徴とする草刈り回収装置。
【発明の詳細な説明】
【技術分野】
【０００１】
本発明は、平地面の草刈りはもとより高速道路の側壁面等の草刈りに最適な構造を有する草刈り装置と、該草刈り装置及び吸引装置を組み合わせた草刈り回収装置に関する。
【背景技術】
【０００２】
特許文献１（特開昭６１−１１１６１９号公報）は、刈刃ケースに刈刃を縦軸芯周りで駆動回動自在に内装した芝刈り機であって、前記刈刃ケースの内部空間を刈刃移動経路の上方において第１空間部分と第２空間部分とに区画する仕切壁を、刈刃移動経路の外周側部分における機体前方側箇所に臨ませて下向き吸気口を前記第１空間部分に形成する状態で設けると共に、第１空間部分の内部空気を吸引排出する装置を設けた芝刈り機を開示する。これにより、刈刃ケース内の一部であるところの第１空間部分のみが吸い上げ室となり、吸引排出装置が比較的能力の低い小型なものであっても強力な芝吸い上げ力を現出するものである。
【０００３】
特許文献２（特開昭６３−２５１０１２号公報）は、エンジンを搭載した車体の下部に、地面と対面する下面が開口されたカッタハウジングを設け、このカッタハウジング内に垂直軸周りに回転駆動される草刈り用のカッタを収容した自走式草刈り機において、上記カッタを略平板状に形成すると共に、カッタハウジングの後部にカッタが刈り取った草を地面上に排出する排出口を設け、この排出口よりも車体の進行方向後方に離間した位置に、上記排出口から排出された草を吸引して集める吸引口を設けた自走式草刈り機を開示する。
【０００４】
特許文献３（特表平７−５０３６１０号公報）は、臭いの茎をケーシング入口からケーシングの中に吸引するための吸込気流を発生する装置と、草の茎を刈り取るためにケーシング入口の直後に設けた少なくとも１つの刈り取り装置とを備え、その際ケーシング入口により規定された平面が九品式草取り機の運転姿勢において草の茎の普通に成長する方向に対してある設定角度を有するようにした吸引式草取り機において、前記刈り取り装置が少なくとも１つの換気扇状に形成した刃物を有する草刈り機を開示する。
【０００５】
特許文献４（特開平１１−２７５９２３号公報）は、草稿機体の左右方法での中央域に配置される第１リールモーアと、該第１リールモーアの左右それぞれに、該第１リールモーアと刈幅の一部が重複するように配置された第２及び第３リールモーアとを備えると共に、前記各リールモーアに、刈草を吸引するダクトをそれぞれ装備した草刈り装置であって、前記第２及び第３リールモーアにおける草刈りの前記各ダクトへの送り向きが機体横幅方向での中央寄りに向かうように、前記第２及び第３リールモールのリール刃のお互いのねじり向きを逆向きに設定したある草刈り装置を開示する。
【０００６】
特許文献５（特開２０１５−９２８４６号公報）は、上下向きに延びた回転軸芯を有する回転軸と、前記回転軸芯周りで回転するように前記回転軸に設けられたブレードとを含むブレードユニットと、その内部に草刈り空間を作り出した目に前記ブレードユニットを上方から覆うと共に、その内部に草刈り空間を作り出すために前記ブレードユニットを上方から覆うと共に、その外部に前記回転軸から径方向外側に拡がる凹部を形成しているブレードハウジングと、前記凹部の上方を覆うことで中間空間を作り出すデッキ蓋と、外部と前記中間空間との間の空気流通を可能にする一時空気流通部と、前記中間空間と前記草刈り空間との間の空気流通を可能にする二時空気流通部とを備えたモアーユニットを開示する。
【先行技術文献】
【特許文献】
【０００７】
【特許文献１】特開昭６１−１１１６１９号公報
【特許文献２】特開昭６３−２５１０１２号公報
【特許文献３】特開平７−５０３６１０号公報
【特許文献４】特開平１１−２７５９２３号公報
【特許文献５】特開２０１５−９２８４６号公報
【発明の概要】
【発明が解決しようとする課題】
【０００８】
現在、高速道路の側壁面に生える雑草の処理は、雑草の生える場所が傾斜しているため、草刈り作業が困難であり、上述したような従来の芝刈り機や草刈り機を使用することが不可能なため、ハンディの草刈り機による人海戦術で草刈りを行い、さらに熊手等によって刈り取った雑草を集めてゴミ回収用車両の荷台に回収する方法をとっていた。しかしながら、高速道路の側壁面の草刈り作業の作業面積は広範囲にわたるため、草刈り作業及び回収作業の作業性が良い装置が要望される。
【０００９】
このため、本発明は、傾斜面や広い範囲の草刈り作業及び回収作業を効率的に行うことのできる草刈り機及び草刈り機によって刈られた草を回収する回収装置を具備する草刈り回収装置を提供するものである。
【課題を解決するための手段】
【００１０】
本発明に係る草刈り装置は、草刈り面に対して開口する開口部を有し、該開口部と対向する位置に吸引口を有するハウジングと、該ハウジング内に水平に延出する回転軸、該回転軸に所定の間隔で配置される複数の切刃部及び複数の切刃部の間に配される複数の送風羽根とによって構成される草刈り部とを具備することにある。
【００１１】
本発明によれば、回転軸を回転させて切刃部及び送風羽根を回転させ、ハウジングの開口部を草刈り面に接近させることで、開口部から取り込まれた雑草を切刃部でカットすると同時に送風羽根によって生じる吸引力によってカットされた雑草を吸引口側へ移動させることができるものである。
【００１２】
さらに、前記切刃部は、前記回転軸を中心として回転するプレート刃部と、該プレート刃部の外周部分に所定の間隔で配される連結部と、該連結部の先端に回動自在に設けられる切歯部とによって構成され、前記切歯部はＶ字型に形成され、前記連結部に固定されることが望ましい。また、プレート刃部は六角形であることが望ましく、前記連結部は、六角形の６つの頂点のそれぞれに設けられることが望ましい。
【００１３】
これによって、回転軸が回転すると、回転軸に設けられたプレート刃部が回転し、プレート刃部の回転に伴ってプレート刃部のそれぞれの頂点に設けられた連結部及び切歯部とが遠心力によって伸長した状態で回転するので、切歯部の歯部によって確実に雑草を刈り取ることができるものである。さらに、この構造では、送風羽根による送風方向に歯部によって雑草が刈り取られるので、刈り取られた雑草を確実に吸引口に導くことができるものである。
【００１４】
さらに、本発明は、上述した草刈り装置と、前記ハウジングの吸引口に接続され、草刈り装置によって刈られた草を吸引する吸引装置を具備することを特徴とする草刈り回収装置にある。前記吸引装置は、本発明者によってなされた特願２０１８−０７５１３０に係る吸引装置であることが望ましい。
【００１５】
具体的には、該吸引装置は、その両端に吸引口及び排出口を有する吸引管と、該吸引管の外周に位置し、前記吸引管の排出口の周縁部に向かって断面が縮小する空気通路を画成し、前記吸引管の排出口周辺から前記吸引管の排出方向に向かって空気を吹き出す送風管と、該送風管に空気を送る送風手段とを具備するものであることが望ましい。
【００１６】
この吸引装置は、ファンを使用しない構造であることから、刈り取られた雑草などを確実に吸引することが可能である。
【００１７】
また、前記草刈り装置を油圧等によって上下左右に移動及び回動させる駆動機構を設けることによって、草刈り面に対して移動させることが可能となり、作業性を向上させることができるものである。
【発明の効果】
【００１８】
本発明によれば、草刈り部を具備したハウジングの開口部が、草刈り面に対面すると共に、開口面に対して水平に配された回転軸が回転することにより、回転軸に沿って複数配された切刃部が回転すると同時に、切刃部の間に配置された送風羽根が回転し、切刃部によって刈り取られた雑草が送風羽根によって生じる吸引力によって吸引口側に送られると共に、切刃部の回転方向と刈り取られた雑草の送り方法とが同一であるため、刈り取られた雑草がハウジング内に滞留して切刃部の動作を阻害することを防止できるため、効率の良い草刈り作業を実施することができるという効果を有する。
【図面の簡単な説明】
【００１９】
【図１】本発明の実施例に係る草刈り装置の正面図である。
【図２】本発明の実施例に係る草刈り装置の側面断面図である。
【図３】（ａ）は本発明の実施例に係る切刃部の構造を示した説明図であり、（ｂ）は切刃部が回転した状態の説明図である。
【図４】切歯部の構造を示した説明図である。
【図５】本発明の実施例に係る草刈り装置であって、吸引装置を具備した状態を示した説明図である。
【発明を実施するための形態】
【００２０】
以下、本発明の実施例について、図面により説明する。
【実施例１】
【００２１】
図１及び図２に示すように、本発明に係る草刈り装置１は、草刈り面に対して開口する開口部２を有し、この開口部２と対向する位置に吸引口３を有するハウジング４を具備する。前記ハウジング４は、開口部２から吸入口３に向けて凹状に形成された前方天井部４１及びこの前方天井部４１から吸入口３に向けて凸状の形成され、内部に回転空間４２を画成する中間天井部４３からなる天井部４０と、さら吸引口３から平行に延出する底面部４４と、底面部４４の両端から立設して天井部４０を支持する側壁部４５，４６とによって構成される。
【００２２】
前記ハウジング４内の前記回転空間４２には、草刈り部５が設けられる。この草刈り部５は、前記ハウジング４内に水平に延出する回転軸６と、この回転軸６に所定の間隔で配置される複数の切刃部７と、複数の切刃部６の間及び回転軸６の両端部に配される複数（この実施例ではそれぞれの箇所に４枚）の送風羽根８とによって構成される。また、回転軸６の両端部には、両側に位置する送風羽根８の端部を保持する保持プレート１２，１３が配される。
【００２３】
尚、回転軸６は、外部動力、例えば電導モータ、油圧モータなどと連結されて駆動力を得るものである。また、回転軸６は、その一端が前記一方の側壁部４５にベアリング９を介して回転自在に支持されると共に、その他端が他方の側壁部４６に設けられたキャップ１０に固定されたベアリング１１を介して回転自在に支持される。また、前記キャップ部１０は、前記切刃部７の大きさに対応して設けられるもので、キャップ部１０を側壁部４６から取り外すことによって草刈り部５全体をハウジング４から取り外すことができるため、草刈り部５のメンテナンスを容易に行うことが可能となるものである。さらに回転軸６の両端部を回転自在に保持するハウジング４の側壁部４５，４６には、刈り取られた雑草が噛み込まれないようにＮＣナイロン等の樹脂材が配されることが好ましい。
【００２４】
前記切刃部７は、図３（ａ），（ｂ）に示すように、前記回転軸６を中心とする六角形のプレート刃部７０と、このプレート刃部７０の六つの頂点には、それぞれ連結部７１と、この連結部７１に回動自在に設けられる切歯部７２とによって構成される。
【００２５】
前記連結部７１は、図４に示すように、前記プレート刃部７０の６つの頂点のそれぞれに弾性部材７３を介してネジ等によって固定されるＵ字金具７４と、このＵ字金具７４に一端が連結されるＯ字金具７５と、このＯ字金具７５の他端に連結されるＵ字金具７６とによって構成される。また、切歯部７２は、Ｕ字金具７６の先端部に溶接固定されるＶ字形に形成される。
【００２６】
以上の構成により、外部動力により、回転軸６が回転すると、回転軸６に所定の間隔で配置されたプレート刃部７０が回転し、さらにプレート刃部７０のそれぞれの頂点に設けられた連結部７１及び切歯部７２が遠心力によって回転軸６の径方向に延出して回転される。これによって、ハウジング４の移動（前進）によって開口部２から取り込まれた雑草は、プレート刃部７０の回転によって回転する切歯部７２によって刈り取られ、送風羽根４の回転によって生じる送風によって、切歯部７２によって刈り取られた雑草が吸入口３に向けて送られる。さらに、切歯部７２による刈り取り方向も刈り取られた雑草を吸入口３側に向けて移動させることの一助となっている。
【実施例２】
【００２７】
本発明の実施例２に係る草刈り回収装置１００は、図５で示すように、前記草刈り装置１と、前記ハウジング４の吸引口３に接続され、草刈り装置１によって刈られた草を吸引する吸引装置１１０を具備するものである。前記吸引装置１１０は、その両端に吸引口１１１及び排出口１１２を有する吸引管１１３と、この吸引管１１３の外周に位置し、前記吸引管１１３の排出口１１２の周縁部に向かって断面が縮小する空気通路１１４を画成し、前記吸引管１１３の排出口１１２周辺から前記吸引管１１３の排出方向に向かって空気を吹き出す送風管１１５と、この送風管１１５に空気を送る送風装置１２０とを具備するものである。また、前記送風管１１５の吹出管１１６の先端は、回収ボックス１３０に開口し、前記草刈り装置１によって刈られた雑草は、吸引装置１００によって吸引され、回収ボックス１３０に排出されるものである。
【００２８】
また、前記草刈り装置１を油圧等によって上下左右に移動及び回動させる駆動機構を設けることによって、草刈り面に対して移動させることが可能となり、作業性を向上させることができるものである。
【符号の説明】
【００２９】
１  草刈り装置
２  開口部
３  吸引口
４  ハウジング
６  回転軸
７  切刃部
８  送風羽根
４０  天井部
４１  前方天井部
４２  回転空間
４３  中間天井部
４４  底面部
４５，４６  側壁部
７０  プレート刃部
７１  連結部
７２  切歯部
【図１】
2020043788.tif 000003
【図２】
2020043788.tif 000004
【図３】
2020043788.tif 000005
【図４】
2020043788.tif 000006
【図５】
2020043788.tif 000007